(57)【特許請求の範囲】
【請求項１】
操作ハンドルの先端のハンドルヘッドに、アダプターの接続部を備えた回転体を設け、該回転体の周側に連続させて設けたラチェット歯に正転用作動爪と逆転用作動爪のいずれか一方を切換え駒の操作によって、選択的に係止させて、前記アダプターを正転方向又は逆転方向に回転させるようにしたラチェットレンチハンドルにおいて、
前記ハンドルヘッドに組付けボルトを揺動中心として揺動自在に支持させた作動片の前記回転体側の先端面の一端に前記正転用作動爪を設ける一方、反対端に前記逆転用作動爪をそれぞれ設け、該作動片の前記先端面に相対する後端面の中央部には、円弧状に前記先端面方向に凹ませたカム縁を設け、該カム縁に先端がばね付勢によって圧接する押しピンを、前記回転体の回転軸と前記組付けボルトを結ぶ直線の延長線上の軸を中心として揺動する前記切換え駒に出入自在に係合させる一方、該作動片の両側面にはそれぞれラチェット歯から荷重を受けたとき該作動片を収納する収納室の内縁に設けられた第１受圧縁部に圧接するように前記第１受圧縁部と同じ曲率で湾曲した第１接触縁部を設ける共に、
前記収納室には、前記切換え駒を揺動可能に支持するための切換え駒収納部をさらに設け、前記切換え駒収納部の内周縁部と前記第１受圧縁部との間には、前記組付けボルトを回転中心とする所定の半径の円周に沿った第２受圧縁部を設ける一方、前記第１受圧縁部と第２受圧縁部との間には山形状の突出縁を設け、
前記作動片には、前記組付けボルトを回転中心とする前記第２受圧縁部と同じ半径の円周に沿った第２接触縁部を設ける一方、前記第１接触縁部と第２接触縁部との間には山形状の凹入縁を設け、
前記作動片が前記組付けボルトを中心として揺動する際には、前記作動片の前記第２接触縁部が前記収納室の前記第２受圧縁部に案内される一方、
前記作動片の正転用作動爪と逆転用作動爪のいずれか一方が前記回転体のラチェット歯に噛み合って前記ハンドルヘッドに加えたトルクを回転体に伝達する場合には、前記作動片の第１接触縁部と凹入縁と第２接触縁部とがそれぞれ前記収納室の前記第１受圧縁部と突出縁と第２受圧縁部に圧接するように構成したことを特徴とするラチェットレンチハンドル。
【発明の詳細な説明】
【技術分野】
【０００１】
本発明は、ハンドルヘッドに設けた回転体にアダプター（ソケット）を係合、組付け、該アダプターに例えば頭部を係合させて、ボルトを締付けたり、緩めたりするために用いるラチェットレンチハンドルに関するものである。
【背景技術】
【０００２】
操作ハンドルの先端のハンドルヘッドに、アダプター（ソケット）を係合する角軸や非円形凹入部等のアダプター接続部を設けた回転体を装置し、該回転体の周側に連続させて設けたラチェット歯に正、逆一対の係止爪の一方を選択的に係止させて前記アダプターを、正転方向又は逆転方向に回転するようにし、正逆の回転方向を、前記係止爪を備えて、前記ハンドルヘッドに揺動自在に軸支した切替えレバーで行うようにした構造のものがある（例えば、特許文献１、２）。
【先行技術文献】
【特許文献】
【０００３】
【特許文献１】特開２００４−３４５０１１号公報
【特許文献２】特開２００５−２９７１２３号公報
【発明の概要】
【発明が解決しようとする課題】
【０００４】
前記従来例は、ラチェット歯に係止する正、逆の係止爪の構成材と、該正、逆の係止爪のいずれかをラチェット歯に係止させるかを選択する切替材を一つの部材で兼用させ、一つの軸で支持させているため、締付けや緩めの操作時におけるラチェットレンチハンドル特有の、回転体の空転時にラチェット歯から与えられる係止爪の振動をまともに受け、係止爪と切替材の両材を兼用させた前記一つの部材は、軸を中心に揺動してしまい、係止爪がラチェット歯に対し正、逆反対に係止し、意図しない切替え操作が行われるときがある。
【０００５】
そのため、前記従来例で示す通り、係止爪の正、逆の方向を維持する球体を押圧するコイルばねの弾性力を相応に強くすることが必要になるが、ラチェットレンチハンドルの大きさの関係から限界がある。
【０００６】
本発明は、このような従来例の問題点に着目し、回転体の空転時に、作動爪がラチェット歯に対し正、逆反対に係止して意図しない切替え操作が行われることのないラチェットレンチハンドルを提供することを目的として創案したものである。
【課題を解決するための手段】
【０００７】
前記課題を解決するため、本発明に係るラチェットレンチハンドルは、操作ハンドルの先端のハンドルヘッドに、アダプターの接続部を備えた回転体を設け、該回転体の周側に連続させて設けたラチェット歯に正転用作動爪と逆転用作動爪のいずれか一方を切換え駒の操作によって、選択的に係止させて、前記アダプターを正転方向又は逆転方向に回転させるようにしたラチェットレンチハンドルにおいて、前記ハンドルヘッドに組付けボルトを揺動中心として揺動自在に支持させた作動片の前記回転体側の先端面の一端に前記正転用作動爪を設ける一方、反対端に前記逆転用作動爪をそれぞれ設け、該作動片の前記先端面に相対する後端面の中央部には、円弧状に前記先端面方向に凹ませたカム縁を設け、該カム縁に先端がばね付勢によって圧接する押しピンを、前記回転体の回転軸と前記組付けボルトを結ぶ直線の延長線上の軸を中心として揺動する前記切換え駒に出入自在に係合させる一方、該作動片の両側面にはそれぞれラチェット歯から荷重を受けたとき該作動片を収納する収納室の内縁に設けられた第１受圧縁部に圧接するように前記第１受圧縁部と同じ曲率で湾曲した第１接触縁部を設ける共に、前記収納室には、前記切換え駒を揺動可能に支持するための切換え駒収納部をさらに設け、前記切換え駒収納部の内周縁部と前記第１受圧縁部との間には、前記組付けボルトを回転中心とする所定の半径の円周に沿った第２受圧縁部を設ける一方、前記第１受圧縁部と第２受圧縁部との間には山形状の突出縁を設け、前記作動片には、前記組付けボルトを回転中心とする前記第２受圧縁部と同じ半径の円周に沿った第２接触縁部を設ける一方、前記第１接触縁部と第２接触縁部との間には山形状の凹入縁を設け、前記作動片が前記組付けボルトを中心として揺動する際には、前記作動片の前記第２接触縁部が前記収納室の前記第２受圧縁部に案内される一方、前記作動片の正転用作動爪と逆転用作動爪のいずれか一方が前記回転体のラチェット歯に噛み合って前記ハンドルヘッドに加えたトルクを回転体に伝達する場合には、前記作動片の第１接触縁部と凹入縁と第２接触縁部とがそれぞれ前記収納室の前記第１受圧縁部と突出縁と第２受圧縁部に圧接するように構成したことを特徴とする。
【発明の効果】
【０００８】
本発明によれば、空転時に回転体のラチェット歯によって作動爪が押され、該作動爪を備えた作動片は軸を中心に揺動しようとするが、該作動片は前記軸と別の回転軸を中心として回転する切換え駒に組付けた押しピンで押され、しかも、コイルばねに付勢されて押されているので、切換え駒の揺動は規制され、作動爪がラチェット歯に対し正、逆反対に係止して、意図しない作動爪の切替え操作が行われることのない、従って、使用勝手の良好なラチェットレンチハンドルを提供できる。
また、作動片の両側面にはそれぞれラチェット歯から荷重を受けたとき該作動片を収納する収納室の内縁に設けられた第１受圧縁部に圧接するように第１受圧縁部と同じ曲率で湾曲した第１接触縁部を設ける共に、収納室には、切換え駒を揺動可能に支持するための切換え駒収納部をさらに設け、切換え駒収納部の内周縁部と第１受圧縁部との間には、組付けボルトを回転中心とする所定の半径の円周に沿った第２受圧縁部を設ける一方、第１受圧縁部と第２受圧縁部との間には山形状の突出縁を設け、作動片には、組付けボルトを回転中心とする第２受圧縁部と同じ半径の円周に沿った第２接触縁部を設ける一方、第１接触縁部と第２接触縁部との間には山形状の凹入縁を設け、作動片が組付けボルトを中心として揺動する際には、作動片の第２接触縁部が収納室の第２受圧縁部に案内される一方、作動片の正転用作動爪と逆転用作動爪のいずれか一方が回転体のラチェット歯に噛み合ってハンドルヘッドに加えたトルクを回転体に伝達する場合には、作動片の第１接触縁部と凹入縁と第２接触縁部とがそれぞれ収納室の第１受圧縁部と突出縁と第２受圧縁部に圧接するように構成したため、収納室の第２受圧縁部による作動片の第２接触縁部の案内によって作動片の揺動が円滑になると共に、ハンドルヘッドにトルクをかけた際、作動片を回転させる力は作動片の第１接触縁部および凹入縁と収納室の第１受圧縁部および突出縁それぞれとの圧接によって受けることが可能となり、意図しない作動片の切替え操作が行われることがなくなるので、この点でも使用勝手が良好なラチェットレンチハンドルを提供できる。
【図面の簡単な説明】
【０００９】
【図１】一部欠截正面図。
【図２】図１のａ−ａ線断面図。
【図３】分解断面図。
【実施例】
【００１０】
実施例のラチェットレンチハンドルＡは、操作ハンドル１の先端に設けたハンドルヘッド１ａ（なお、後記の通り、ハンドルヘッド１ａはハンドルヘッド構成材１ａ´と蓋板２´´ａを組付けボルト１０で組付けて構成してある。）に、ヘッド１ａの上面又は下面側から見て円形状の第一収納部２Ａ、ほぼ８の字状の第二収納部２Ｂおよび小円形状の第三収納部２Ｃを、一部を重ね合わせるようにヘッド１ａの先端側から後端側方向に順次並べて構成した形状の収納室２を設け、該収納室２の第一収納部２Ａは、ヘッド１ａの上面と下面を開口２ａ´，２ａ´´して外部に連通させ、該第一収納部２ａに回転体３を回転自在に支持させてある。
【００１１】
回転体３は、周側にラチェット歯６を連続させて設け、上下両面に平面視円形状の段部４，４´を設けて該回転体３の回転軸と成し、その段部４，４´の一方の軸線上にアダプターｔを組付ける角軸５を突設して構成し、前記ラチェット歯６を前記第一収納部２Ａに納めるようにして段部４，４´を、前記開口２ａ´，２ａ´´に係合させて、前記の通り回転軸と成し、ハンドルヘッド１ａの収納室２の一側の第一収納部２Ａに回転自在に支持させてある。
【００１２】
なお、角軸５にコイルばね７によって突出方向に付勢させた球体８を設け、該球体８を利用してアダプターｔを着脱自在に取り付けられるようになっている（公知事項）。
【００１３】
前記第一収納部２Ａに連通して前記収納室２を構成する第二収納部２Ｂには、作動片９を収納し、作動片９は、収納室２の下壁２´´を構成する蓋板２´´ａを、上壁２´（収納室２の）に締付ける組付けボルト１０を揺動軸として揺動自在に軸支してある。
【００１４】
なお、１１は組付けボルト１０を貫通させて前記上、下壁２´，２´´間に配したカラーで、カラー１１の存在によって、組付けボルト１０を軸とする作動片９の揺動は、支障なく円滑に行われる。
【００１５】
また、前記作動片９は、前記回転体３側の先端面の一端に、該回転体３に設けたラチェット歯６と同心円上に位置して係合する複数個の正転用作動爪１２，…を、反対端に、同じく、回転体３のラチェット歯６と同心円上に位置して係合する複数個の逆転用作動爪１３，…を、それぞれ前記組付けボルト１０を通る仮想直線を対称軸として対称的に設け、正転用作動爪１２がラチェット歯６に係合したときは、逆転用作動爪１３は該ラチェット歯６から離れ、逆転用作動爪１３がラチェット歯６に係合したときは、正転用作動爪１２が離れる関係にしてあり、ラチェット歯６に対して正逆の作動爪１２，１３のいずれを選択するかは、作動片９を納めた前記第二収納部２Ｂに隣接して連通する、小円形状の前記第三収納部２Ｃに収納した切換え駒１４で行い、該切換え駒１４の押しピン１５が接離する、円弧状のカム縁１６を前記作動片９の前記先端面に相対する後端面の前記正、逆作動爪１２，１３間の中央部に設けてある。
【００１６】
カム縁１６は、作動片９の後端面中央に、作動片９の前記先端面方向に円弧状に凹んだ形態で成るものである。
【００１７】
なお、作動片９の揺動軸（組付けボルト１０）と回転体３の回転軸（段部４，４´）を結ぶ直線の延長線上に切換え駒１４の揺動軸を配してある。
【００１８】
作動片９の前記先後の端面間に相対して介在する左右両側面には、山形状の凹入縁（凹入段部）１７´を設けて、作動片９の前記先端面側の一側を第１接触縁部である接触縁部１７とし、該接触縁部１７が係合して、作動片９側からの押圧を受ける第1受圧縁部である受圧縁部１８を、前記第二収納部２Ｂの相対する内縁（収納室２の内縁）に設けた山形状の突出縁１８´を設けて、その一側側で構成してある。なお、図１に示すように、第１接触縁部である接触縁部１７は、第１受圧縁部である受圧縁部１８に圧接するように受圧縁部１８と同じ曲率で湾曲している。また、収納室２には、切換え駒１４を揺動可能に支持するための切換え駒収納部である第３収納部３Ｃをさらに設け、第３収納部３Ｃの内周縁部と第1受圧縁部である受圧縁部１８との間には、組付けボルト１０を回転中心とする所定の半径の円周に沿った第２受圧縁部を設ける。また、作動片９には、組付けボルト１０を回転中心とする第２受圧縁部と同じ半径の円周に沿った第２接触縁部を設ける。そのため、図１に示すように、作動片９が組付けボルト１０を中心として揺動する際には、作動片９の第２接触縁部が収納室２の第２受圧縁部に案内される一方、作動片９の正転用作動爪１２と逆転用作動爪１３のいずれか一方が回転体３のラチェット歯６に噛み合ってハンドルヘッド１ａに加えたトルクを回転体３に伝達する場合には、作動片９の第１接触縁部である接触縁部１７と凹入縁１７´と第２接触縁部とがそれぞれ収納室２の第1受圧縁部である受圧縁部１８と突出縁１８´と第２受圧縁部に圧接することになる。
【００１９】
第二収納部２Ｂに連通する、平面視小円形の前記第三収納部２Ｃには、前記切換え駒１４を、前記上壁２´を開口して設けた挿入口２ｃ´´を通じて前記作動片９に設けた突部片１９に切欠２０を係合させるようにして作動片９と組合わせて、揺動自在に収納してある。
【００２０】
切換え駒１４は、平面視円形の前記第三収納部２Ｃに係合する円柱状の主体部２１の一端に操作レバー２２を、主体部２１の径方向に突出させて設け、前記操作レバー２２側の主体部２１部分を前記挿入口２ｃ´´に、主体部２１の前記一端に対応する他端中央に突設した段部２１´を、収納室２の下壁２´´に設けた受穴３０にそれぞれ係合して、主体部２１部分および段部２１´を前記揺動軸として揺動する。
【００２１】
また、切換え駒１４は、操作レバー２２側に前記切欠２０を設けた主体部２１の周側に支持穴２３を設け、該支持穴２３にコイルばね２４を介して前記押しピン１５を出入自在に係合し、コイルばね２４の押圧によって押しピン１５の丸い先端が作動片９の前記カム縁１６の一端縁又は他端縁に圧接し、作動片９の切換え操作が行われ、正転用作動爪１２と逆転用作動爪１３のいずれかのラチェット歯６との係合状態を保持する。
【００２２】
そして、操作ハンドル１の、ハンドルヘッド１ａを構成するハンドルヘッド構成材１ａ´に設けた前記第一収納部２Ａに対応する部分２Ａ´に回転体３を、第二収納部２Ｂに対応する部分２Ｂ´に切換え駒１４と、突部片１９と切欠２０の係合関係により組合わせた作動片９（カラー１１を係合して）を、第三収納部２Ｃに対応する部分２Ｃ´に前記切換え駒１４をそれぞれ係合し、次いで、蓋板２´´ａを、これらを介在させて収納室２の下壁２´´に対向させて配置し、上壁２´の透孔２６を通じて組付けボルト１０をカラー１１に貫通させ、カラー１１より突出する組付けボルト１０の先端を前記蓋板２´´ａに設けたねじ孔２５に螺合、締付けることによって実施例のラチェットレンチハンドルＡは組立てられる。
【００２３】
図１は、切換え駒１４を操作して、該切換え駒１４の押しピン１５の先端を、作動片９のカム縁１６の一端縁にコイルばね２４の付勢を利用して押し当てて、作動片９の正転用作動爪１２を回転体３のラチェット歯６に係合させた状態を示すが、この状態のまま角軸５に嵌め込んで組付けたアダプターｔを、例えば、ボルト頭部に嵌め込んで操作ハンドル１を図示実線で示す矢印ｘ方向に前記ボルト頭部を中心に回すと、作動爪１２はラチェット歯６を押圧し、回転体３を反時計廻り方向に回転させ、回転体３の角軸５に嵌めたアダプターｔを係合したボルト頭部は締め付けられ、適宜の角度に回転させた後、ラチェット機構を利用して作動爪１２に対してラチェット歯６を空転させるようにして操作ハンドル１を時計廻り方向に回転させて原位置に復帰させ、再び反時計廻り方向に回転させてボルト頭部の締付け操作を行うことによって、ボルト頭部の締付け操作が継続される。
【００２４】
作動爪１２に対するラチェット歯６の前記空転時に、ラチェット歯６は作動爪１２を押圧し、該作動爪１２を備えた作動片９は揺動軸である組付けボルト１０を中心に揺動して正転用作動爪１２に代って逆転用作動爪１３がラチェット歯６に係合しようとするが、組付けボルト１０と別軸で回転する切換え駒１４に備え、しかも、コイルばね２４で押圧された押しピン１５が作動爪１２側に対応する、カム縁１６の一側縁を押圧しているので、逆転用作動爪１３が正転用作動爪１２に代ってラチェット歯６に係合することはない。
【００２５】
そして、切換え駒１４を切換えて、押しピン１５の先端をカム縁１６の他の一端側に圧接させて正転用作動爪１２に代えて逆転用作動爪１３をラチェット歯６に係合させるようにして、図示点線で示す矢印ｙ方向に操作ハンドル１を回転すると、ボルト頭部は締付け状態から緩められ、操作ハンドル１の時計廻り方向の回転操作と反時計廻り方向の回転操作の繰り返しにより前記ボルト頭部緩め操作が行われる。
【００２６】
なお、切換え駒１４の回転軸、作動片９の揺動軸および回転体３の回転軸は操作ハンドル１の軸線上に配してある。また、回転体のアダプター接続部は実施例の角軸に代えて、非円形凹入部でも本発明の実施に不都合はない。
【符号の説明】
【００２７】
１      操作ハンドル
１ａ    ハンドルヘッド
３      回転体
６      ラチェット歯
９      作動片
１２    正転用作動爪
１３    逆転用作動爪
１４    切換え駒
１５    押しピン
１６    カム縁
【図１】
0005568273.tif 000002
【図２】
0005568273.tif 000003
【図３】
0005568273.tif 000004